(57)【要約】【課題】搬送における麺類に対する具材の悪影響を防止することが可能な麺類容器を提供する。【解決手段】麺類２００ａが入れられた麺用容器本体２０２と、麺用容器本体２０２の開口部を蓋し、表面に凹部２１２が形成された麺用蓋体２１０とから構成される麺用容器２００と、麺用蓋体２１０の凹部２１２に載置され、具材２２０ａが入れられた具材用容器本体２２２と、具材用容器本体２２２の開口部を蓋する具材用蓋体２３０とから構成される具材用容器２２０とを備える。【選択図】図１
0003123528.tif 000002
【実用新案登録請求の範囲】
【請求項１】
麺類が入れられた麺用容器本体と、
前記麺用容器本体の開口部を蓋し、表面に凹部が形成された麺用蓋体と、
前記麺用蓋体の凹部に載置され、具材が入れられた具材用容器本体と、
前記具材用容器の開口部を蓋する具材用蓋体とを備える
ことを特徴とする麺類容器。
【請求項２】
請求項１に記載の麺類容器を包装する包装具であって、
前記麺用容器本体が載置される底面板と、
前記底面板の第１側縁に折線を介して連設され、前記具材用容器本体及び前記麺用容器本体の側面を覆う第１側面板と、
前記底面板の第２側縁に折線を介して連設され、前記具材用容器本体及び前記麺用容器本体の側面を覆う第２側面板と、
前記第１側面板の側縁に折線を介して連設され、前記具材用蓋体を覆う第１上面板と、
前記第２側面板の側縁に折線を介して連設され、前記具材用蓋体を覆う第２上面板とを備え、
前記第１側面板及び第２側面板のそれぞれには、前記麺用容器本体及び前記麺用蓋体の端部と嵌合可能な第１嵌合孔と、前記具材用容器本体及び前記具材用蓋体の端部と嵌合可能な第２嵌合孔とが設けられている
ことを特徴とする包装具。
【請求項３】
前記包装具は、さらに、前記第１上面板の側縁に折線を介して連設された舌片を備え、
前記舌片には、第１突出片が設けられ、
前記第２上面板には、前記第１突出片と嵌合可能な突出片嵌合孔が複数設けられている
ことを特徴とする請求項２に記載の包装具。
【請求項４】
前記第１上面板には、前記第１上面板及び前記舌片の間の折線から前記第１上面板側にコの字状に膨らむ切り込みが設けられ、
前記切り込みは、前記舌片が前記第１上面板及び前記舌片の間の折線で折り曲げられた状態において前記第１上面板側に突出し、前記突出片嵌合孔と嵌合可能な第２突出片を形成する
ことを特徴とする請求項３に記載の包装具。
【請求項５】
前記第１側面板及び第２側面板のそれぞれには、複数の前記麺嵌合孔と、複数の前記具材嵌合孔とが設けられている
ことを特徴とする請求項２〜４のいずれか１項に記載の包装具。
【考案の詳細な説明】
【技術分野】
【０００１】
本考案は、麺類容器及びその包装具に関し、特に麺類及び具材を搬送するための麺類容器及びその包装具に関するものである。
【背景技術】
【０００２】
従来から、ラーメン、パスタ及びそば等の麺類は、食堂やレストラン等の店舗で食される他、出前や持ち帰りといった形態で家庭でも食されている。そして、家庭で麺類が食される場合には、麺類は麺類容器に入れられて家庭まで搬送される。
【０００３】
ところで、麺類は、スープ等の具材と共に食されるのが一般的である。従って、家庭で麺類が食される場合には、麺類と具材とが麺類容器に入れられて家庭まで搬送される。しかしながら、麺類と具材とが同じ麺類容器に入れられた場合、麺類が具材の水分で延びてしまう。このような問題を解決する技術として、例えば特許文献１に記載の麺類容器がある。これは、細孔が形成され、麺類容器を上部と底部とに仕切る仕切り板を麺類容器内に配設するものである。この技術によれば、具材を麺類容器の底部に入れ、麺類を麺類容器の上部に入れることで、麺類容器内で麺類と具材とを分離することができるので、麺類の延びを防止することができる。
【特許文献１】特開２００５−５８１００号公報
【考案の開示】
【考案が解決しようとする課題】
【０００４】
しかしながら、特許文献１に記載の麺類容器では、麺類容器が搬送される際に激しく揺らされた場合、仕切り板の細孔を介して具材が麺類容器の上部に侵入するため、具材が麺類についてしまう。また、麺類容器の搬送に長時間を要した場合、仕切り板の細孔を介して具材のにおいが麺類についてしまう。従って、特許文献１に記載の麺類容器では、麺類容器の搬送における麺類に対する具材の悪影響を防止することができない。
【０００５】
そこで、本考案は、かかる問題点に鑑み、搬送における麺類に対する具材の悪影響を防止することが可能な麺類容器を提供することを目的とする。
【課題を解決するための手段】
【０００６】
上記目的を達成するために、本考案に係る麺類容器は、麺類が入れられた麺用容器本体と、前記麺用容器本体の開口部を蓋し、表面に凹部が形成された麺用蓋体と、前記麺用蓋体の凹部に載置され、具材が入れられた具材用容器本体と、前記具材用容器の開口部を蓋する具材用蓋体とを備えることを特徴とする。
【０００７】
これによって、麺類と具材とが別々の容器に収容されるので、麺類容器の搬送における麺類に対する具材の悪影響を防止することができる。
【０００８】
また本考案は、上記麺類容器を包装する包装具であって、前記麺用容器本体が載置される底面板と、前記底面板の第１側縁に折線を介して連設され、前記具材用容器本体及び前記麺用容器本体の側面を覆う第１側面板と、前記底面板の第２側縁に折線を介して連設され、前記具材用容器本体及び前記麺用容器本体の側面を覆う第２側面板と、前記第１側面板の側縁に折線を介して連設され、前記具材用蓋体を覆う第１上面板と、前記第２側面板の側縁に折線を介して連設され、前記具材用蓋体を覆う第２上面板とを備え、前記第１側面板及び第２側面板のそれぞれには、前記麺用容器本体及び前記麺用蓋体の端部と嵌合可能な第１嵌合孔と、前記具材用容器本体及び前記具材用蓋体の端部と嵌合可能な第２嵌合孔とが設けられていることを特徴とする包装具とすることもできる。
【０００９】
これによって、麺用容器本体及び麺用蓋体から構成される麺用容器と具材用容器本体及び具材用蓋体から構成される具材用容器とを一体化して１つの積載容器として搬送することができるので、麺類容器の搬送に手間がかからないようにすることができる。
【００１０】
ここで、前記包装具は、さらに、前記第１上面板の側縁に折線を介して連設された舌片を備え、前記舌片には、第１突出片が設けられ、前記第２上面板には、前記第１突出片と嵌合可能な突出片嵌合孔が複数設けられていてもよい。
【００１１】
これによって、麺用容器及び具材用容器の大きさが異なる場合でも、第１突出片と嵌合させる突出片嵌合孔を変えることで、麺用容器及び具材用容器を強固に一体化することができるので、包装具の汎用性を高くすることができる。
【００１２】
また、前記第１上面板には、前記第１上面板及び前記舌片の間の折線から前記第１上面板側にコの字状に膨らむ切り込みが設けられ、前記切り込みは、前記舌片が前記第１上面板及び前記舌片の間の折線で折り曲げられた状態において前記第１上面板側に突出し、前記突出片嵌合孔と嵌合可能な第２突出片を形成してもよい。
【００１３】
これによって、第１上面板と第２条面板とは、第１突出片と突出片嵌合孔との嵌合に加えて、第２突出片と突出片嵌合孔との嵌合により接続されるので、麺用容器及び具材用容器を更に強固に一体化することができる。また、第２突出片と嵌合される孔を新たに設ける必要がないので、包装具の構造を簡素にし、包装具を低コスト化することができる。
【００１４】
また、前記第１側面板及び第２側面板のそれぞれには、複数の前記麺嵌合孔と、複数の前記具材嵌合孔とが設けられていてもよい。
【００１５】
これによって、麺用容器及び具材用容器の高さが異なる場合でも、容器の端部と嵌合させる麺嵌合孔及び具材嵌合孔を変えることで、麺用容器及び具材用容器を包装具に固定することができるので、包装具の汎用性を高くすることができる。
【考案の効果】
【００１６】
以上の説明から明らかなように、本考案に係る麺類容器及びその包装具によれば、麺類容器の搬送における麺類に対する具材の悪影響を防止することができる。また、麺類容器の搬送に手間がかからないようにすることができる。
【考案を実施するための最良の形態】
【００１７】
以下、本考案の実施の形態における麺類容器及びその包装具について、図面を参照しながら説明する。
【００１８】
図１は本実施の形態における麺類容器の斜視図であり、図２は同麺類容器の断面図（図１のＡＡ’線における断面図）である。
【００１９】
この麺類容器は、宅配用の食材を収容する容器であって、麺用容器２００と、麺用容器２００上に積載された具材用容器２２０とから構成される。
【００２０】
麺用容器２００は、プラススチック及び合成樹脂等からなり、ラーメン、パスタ及びそば等の麺類２００ａを収容するディスポーサブルの容器である。麺用容器２００は、断面が略円錐台形形状をなす椀形の容器であり、その周壁には、麺用容器２００外部に向かって（径方向外方に向かって）突き出た凸部である鍔部２０１が形成されている。
【００２１】
ここで、麺用容器２００は、麺用容器本体２０２及び麺用蓋体２１０から構成される。麺用蓋体２１０は、麺用容器本体２０２の開口部を蓋する略円盤状の蓋体であり、鍔部２０１において着脱可能な状態で麺用容器本体２０２に嵌合される。麺用蓋体２１０の表面には、円環状の凸部２１１が形成されている。
【００２２】
具材用容器２２０は、プラススチック及び合成樹脂等からなり、スープ等の液状の具材２２０ａを収容するディスポーサブルの容器である。具材用容器２２０は、断面が略円錐台形形状をなす椀形の容器であり、その周壁には、具材用容器２２０外部に向かって（径方向外方に向かって）突き出た凸部である鍔部２２１が形成されている。
【００２３】
ここで、具材用容器２２０は、具材用容器本体２２２及び具材用蓋体２３０から構成される。具材用容器本体２２２の底面は、麺用蓋体２１０表面における円環状の凸部２１１で囲まれた領域の面積、つまり麺用蓋体２１０表面の凹部２１２の面積よりも小さく。具材用容器本体２２２は、この凹部２１２上に載置される。具材用蓋体２３０は、具材用容器本体２２２の開口部を蓋する略円盤状の蓋体であり、鍔部２２１において着脱可能な状態で具材用容器本体２２２に嵌合される。
【００２４】
図３（ａ）、（ｂ）は、上記構造を有する麺類容器を包装する包装具の斜視図であり、図４は、同包装具の展開平面図である。
【００２５】
この包装具は、底面板１００、第１側面板１１０、第２側面板１２０、第１上面板１３０、第２上面板１４０、舌片１５０及び収納部１６０から構成される。
【００２６】
底面板１００には、麺用容器２００が載置される。
第１側面板１１０は、麺類容器を包装した状態において、麺用容器２００及び具材用容器２２０の側面を覆う。第１側面板１１０は、底面板１００の第１側縁に折線１１０ａを介して連設され、折線１１０ａに沿って立ち上がる。第１側面板１１０は、底面板１００の第１側縁に折線１１０ａを介して連設された下部第１側面板１１１と、下部第１側面板１１１の側縁に折線１１２ａを介して連設された上部第１側面板１１２とから構成される。上部第１側面板１１２には、折線１３０ｂが設けられている。
【００２７】
第２側面板１２０は、麺類容器を包装した状態において、第１側面板１１０と対向して位置し、第１側面板１１０により覆われた麺用容器２００及び具材用容器２２０の側面と反対側の側面を覆う。第２側面板１２０は、底面板１００の第１側縁と対向する第２側縁に折線１２０ａを介して連設され、折線１２０ａに沿って立ち上がる。第２側面板１２０は、底面板１００の第２側縁に折線１２０ａを介して連設された下部第２側面板１２１と、下部第２側面板１２１の側縁に折線１２２ａを介して連設された上部第２側面板１２２とから構成される。上部第２側面板１２２には、折線１４０ｂが設けられている。
【００２８】
ここで、下部第１側面板１１１及び下部第２側面板１２１には、麺用容器２００の端部としての鍔部２０１と嵌合可能な第１嵌合孔１１３が形成されている。また、上部第１側面板１１２及び上部第２側面板１２２には、具材用容器２２０の端部としての鍔部２２１と嵌合可能な複数の第２嵌合孔１１４が形成されている。さらに、下部第１側面板１１１及び下部第２側面板１２１には、第１嵌合孔１１３に向かって突き出た突出片１１５が形成されている。突出片１１５は、第１嵌合孔１１３と鍔部２０１とが嵌合した状態で麺用蓋体２１０（鍔部２０１）表面と接触し、麺用蓋体２１０を係止する。これによって、麺用容器２００は、包装具に固定される。
【００２９】
なお、第１嵌合孔１１３は本考案の麺嵌合孔の一例であり、第２嵌合孔１１４は本考案の具材嵌合孔の一例である。
【００３０】
第１上面板１３０は、第１側面板１１０の側縁に折線１３０ａを介して連設され、麺類容器を包装した状態において、具材用容器２２０の上面（具材用蓋体２３０の上面）を覆うように具材用容器２２０（具材用蓋体２３０）上方に位置する。第１上面板１３０には、第１上面板１３０及び舌片１５０の間の折線１５０ａから第１上面板１３０側にコの字状に膨らむ切り込み１５２ａが設けられている。この切り込み１５２ａは、舌片１５０が第１上面板１３０と舌片１５０との間の折線１５０ａで折り曲げられた状態において第１上面板１３０側に突出する第２突出片１５２を形成する。
【００３１】
舌片１５０は、第１上面板１３０の側縁に折線１５０ａを介して連設される。舌片１５０には、第１突出片１５１が設けられている。
【００３２】
第２上面板１４０は、第２側面板１２０の側縁に折線１４０ａを介して連設され、麺類容器を包装した状態において、具材用容器２２０の上面（具材用蓋体２３０の上面）を覆うように具材用容器２２０（具材用蓋体２３０）上方に位置する。第２上面板１４０には、第１突出片１５１及び第２突出片１５２と嵌合可能な突出片嵌合孔１４１が複数設けられている。
【００３３】
収納部１６０は、第２上面板１４０の側縁に折線１６０ａを介して連設され、折線１６０ａに沿って立ち下がる。収納部１６０には、麺用容器２００及び具材用容器２２０に収容された食材を食する際に必要となるディスポーサブルの食器等が収容される。
【００３４】
図５（ａ）、（ｂ）は、上記構造を有する麺類容器及び包装具の使用形態を示す麺類容器及び包装具の斜視図である。
【００３５】
図５（ａ）、（ｂ）から、麺用蓋体２１０表面と突出片１１５とが係合するまで、鍔部２０１が第１嵌合孔１１３に差し込まれることがわかる。すなわち、包装具は、鍔部２０１と第１嵌合孔１１３との嵌合と、麺用蓋体２１０表面と突出片１１５との係合とにより麺用容器２００の横方向（麺用容器２００の底面を含む面内での動き）への動きを制限していることがわかる。
【００３６】
また、鍔部２２１が第２嵌合孔１１４に差し込まれることがわかる。すなわち、包装具は、鍔部２２１と第２嵌合孔１１４との嵌合により具材用容器２２０の横方向への動き（具材用容器２２０の底面を含む面内での動き）を制限していることがわかる。
【００３７】
さらに、鍔部２０１と第１嵌合孔１１３とが嵌合し、麺用蓋体２１０表面と突出片１１５とが係合し、かつ鍔部２２１と第２嵌合孔１１４とが嵌合した状態で、第２上面板１４０の下面と具材用容器２２０の上面（具材用蓋体２３０の上面）とが接合し、かつ第１上面板１３０の下面と第２上面板１４０の上面とが略面一となって重なるように、第２突出片１５２及び第１突出片１５１が差し込まれる突出片嵌合孔１４１が選択され、その選択された突出片嵌合孔１４１に第２突出片１５２及び第１突出片１５１が差し込まれることがわかる。すなわち、包装具は、第２突出片１５２と突出片嵌合孔１４１との嵌合、及び第１突出片１５１と突出片嵌合孔１４１との嵌合により麺用容器２００及び具材用容器２２０の高さ方向への動き（麺用容器２００及び具材用容器２２０の積載方向への動き）を制限していることがわかる。
【００３８】
さらにまた、収納部１６０には、フォーク３００が収容されていることがわかる。
このとき、鍔部２２１が差し込まれる第２嵌合孔１１４は、具材用容器２２０の高さに応じて変えられる。よって、具材用容器２２０の高さが低い場合には、図６の麺類容器及び包装具の斜視図に示されるように、鍔部２２１は高さが低い位置にある第２嵌合孔１１４に差し込まれて、さらに折線１３０ｂで上部第１側面板１１２が折り曲げられ、かつ折線１４０ｂで上部第２側面板１２２が折り曲げられるため、上部第１側面板１１２及び上部第２側面板１２２の一部は具材用容器２２０の上面（具材用蓋体２３０の上面）を覆うように、具材用容器２２０（具材用蓋体２３０）上方に位置する。
【００３９】
なお、下部第１側面板１１１及び下部第２側面板１２１には、複数の第１嵌合孔１１３が形成され、鍔部２０１が差し込まれる第１嵌合孔１１３は、麺用容器２００の高さに応じて変えられてもよい。
【００４０】
以上のように本実施の形態の麺類容器によれば、麺類２００ａ及び具材２２０ａがそれぞれ麺用容器２００及び具材用容器２２０に収容される、つまり麺類２００ａ及び具材２２０ａが別々の容器に収容されるので、麺類容器の搬送における麺類に対する具材の悪影響を防止することが可能な麺類容器を実現できる。
【００４１】
また、本実施の形態の包装具によれば、積載された麺用容器２００及び具材用容器２２０を一体化する。よって、麺用容器２００及び具材用容器２２０を１つの積載容器として搬送することができるので、麺類容器の搬送に手間がかからないようにすることができる。従って、本実施の形態の包装具によれば、麺類容器の搬送における麺類に対する具材の悪影響を防止し、かつ麺類容器の搬送に手間がかからないようにすることが可能な包装具を実現できる。
【００４２】
また、本実施の形態の包装具によれば、麺用容器２００及び具材用容器２２０の大きさが異なる場合でも、第１突出片１５１と嵌合させる突出片嵌合孔１４１を変えることで、麺用容器２００及び具材用容器２２０を強固に一体化することができる。よって、汎用性の高い包装具を実現できる。
【００４３】
また、本実施の形態の包装具によれば、第１上面板１３０と第２上面板１４０とは、第１突出片１５１と突出片嵌合孔１４１との嵌合に加えて、第２突出片１５２と突出片嵌合孔１４１との嵌合により接続される。よって、麺用容器２００及び具材用容器２２０を更に強固に一体化することができる。また、第２突出片１５２と嵌合される孔を新たに設ける必要がないので、包装具の構造を簡素にし、低コストの包装具を実現できる。
【００４４】
また、本実施の形態の包装具によれば、麺用容器２００及び具材用容器２２０の高さが異なる場合でも、鍔部２０１、２２１と嵌合させる第１嵌合孔１１３及び第２嵌合孔１１４を変えることで、麺用容器２００及び具材用容器２２０を包装具に固定できるので、更に汎用性の高い包装具を実現できる。
【００４５】
以上、本考案の麺類容器及び包装具について、実施の形態に基づいて説明したが、本考案は、この実施の形態の限定されるものではない。本考案の要旨を逸脱しない範囲内で当業者が思いつく各種変形を施したものも本発明の範囲内に含まれる。
【産業上の利用可能性】
【００４６】
本考案は、麺類容器及びその包装具に有用であり、特に麺類の出前容器及びその包装具に有用である。
【図面の簡単な説明】
【００４７】
【図１】本考案の実施の形態における麺類容器の斜視図である。
【図２】同麺類容器の断面図（図１のＡＡ’線における断面図）である。
【図３】本考案の実施の形態における包装具の斜視図である。
【図４】同包装具の展開平面図である。
【図５】本考案の実施の形態における麺類容器及び包装具の使用形態を示す麺類容器及び包装具の斜視図である。
【図６】同麺類容器及び包装具の斜視図である。
【符号の説明】
【００４８】
１００    底面板
１１０    第１側面板
１１１    下部第１側面板
１１２    上部第１側面板
１１０ａ、１１２ａ、１２０ａ、１２２ａ、１３０ａ、１４０ａ、１４０ｂ、１５０ａ、１６０ａ    折線
１１３    第１嵌合孔
１１４    第２嵌合孔
１１５    突出片
１２０    第２側面板
１２１    下部第２側面板
１２２    上部第２側面板
１３０    第１上面板
１４０    第２上面板
１４１    突出片嵌合孔
１５０    舌片
１５１    第１突出片
１５２    第２突出片
１５２ａ    切り込み
１６０    収納部
２００    麺用容器
２００ａ    麺類
２０１、２２１    鍔部
２０２    麺用容器本体
２１０    麺用蓋体
２１１    凸部
２１２    凹部
２２０    具材用容器
２２０ａ    具材
２２２    具材用容器本体
２３０    具材用蓋体
【図１】
0003123528.tif 000003
【図２】
0003123528.tif 000004
【図３】
0003123528.tif 000005
【図４】
0003123528.tif 000006
【図５】
0003123528.tif 000007
【図６】
0003123528.tif 000008